(57)【特許請求の範囲】
【請求項１】
シャーシと、
前記シャーシに敷設された第１の配線シートと、
前記第１の配線シートの周囲において前記シャーシに敷設され、前記第１の配線シートとほぼ等しい厚さのシートと、
前記第１の配線シート上及び前記シート上にわたって敷設された第２の配線シートと、
前記第２の配線シートのうち前記第１の配線シート上に敷設された部分に設けられた第１のプッシュスイッチと、
前記第２の配線シートのうち前記シート上に敷設された部分に設けられた第２のプッシュスイッチと、
を備えることを特徴とする電子機器。
【請求項２】
前記シートは、前記シャーシ上において、前記第２の配線シートと前記第１の配線シートとが重ならない領域に敷設されることを特徴とする、請求項１記載の電子機器。
【請求項３】
前記シートは、前記シャーシ及び前記第２の配線シートを粘着させるための両面粘着シートであることを特徴とする、請求項１又は２記載の電子機器。
【請求項４】
前記シャーシは少なくとも前記第１の配線シートを備えるディスプレイパネルと前記第２の配線シートとを併設する面積を有することを特徴とする請求項１乃至３の何れかに記載の電子機器。
【請求項５】
シャーシと、
前記シャーシに敷設された第１の配線シートと、
前記第１の配線シートの周囲において前記シャーシに敷設され、前記第１の配線シートとほぼ等しい厚さのシートと、
前記第１の配線シート上及び前記シート上にわたって敷設された第２の配線シートと、
前記第２の配線シートのうち前記第１の配線シート上に敷設された部分に設けられた第１のプッシュスイッチと、
前記第２の配線シートのうち前記シート上に敷設された部分に設けられた第２のプッシュスイッチと、
を備えることを特徴とする配線シートの積層構造。
【発明の詳細な説明】
【技術分野】
【０００１】
本発明は、複数のプッシュスイッチを備えた電子機器、及び、配線シートの積層構造に関する。
【背景技術】
【０００２】
近年、デジタルカメラ、携帯電話機、電子辞書、ＰＤＡ（Personal Digital Assistance）といった電子機器においては、ＦＰＣ（Flexible Printed Circuit）と呼ばれる可撓性シート状の配線シートを採用することにより、薄型化が進んでいる。また、このＦＰＣには非常に小型な能動素子や受動素子が設けられることもあり、プッシュスイッチが設けられたＦＰＣは電子機器の入力デバイスに用いられる。
【０００３】
上記の如く、プッシュスイッチが設けられたＦＰＣを用いた電子機器において、より薄型化を狙った技術として、特許文献１に記載する技術が知られている。
【特許文献１】特開平１０−１４５４７６号公報
【発明の開示】
【発明が解決しようとする課題】
【０００４】
ところで、複数のプッシュスイッチが設けられたＦＰＣをその形状が異なる他のＦＰＣ上に重ねた場合、これらプッシュスイッチの下側にＦＰＣが存在する箇所と存在しない箇所とで、下側の厚みが不均一となり、これらプッシュスイッチ間でクリック感やスイッチ検出に支障が生じる危惧があった。
そこで、本発明は、配線シートが積層されたその上に複数のプッシュスイッチを設けても、クリック感やスイッチ検出に支障が生じることのない構造を提供することを目的とする。
【課題を解決するための手段】
【０００５】
以上の課題を解決するために、本発明の第１の側面によれば、
シャーシと、
前記シャーシに敷設された第１の配線シートと、
前記第１の配線シートの周囲において前記シャーシに敷設され、前記第１の配線シートとほぼ等しい厚さのシートと、
前記第１の配線シート上及び前記シート上にわたって敷設された第２の配線シートと、
前記第２の配線シートのうち前記第１の配線シート上に敷設された部分に設けられた第１のプッシュスイッチと、
前記第２の配線シートのうち前記シート上に敷設された部分に設けられた第２のプッシュスイッチと、
を備えることを特徴とする電子機器が提供される。
【０００６】
好ましくは、前記シートは、前記シャーシ上において、前記第２の配線シートと前記第１の配線シートとが重ならない領域に敷設される。
【０００７】
好ましくは、前記シートは、前記シャーシ及び前記第２の配線シートを粘着させるための両面粘着シートである。
【０００８】
好ましくは、前記シャーシは少なくとも前記第１の配線シートを備えるディスプレイパネルと前記第２の配線シートとを併設する面積を有する。
【０００９】
本発明の第２の側面によれば、
シャーシと、
前記シャーシに敷設された第１の配線シートと、
前記第１の配線シートの周囲において前記シャーシに敷設され、前記第１の配線シートとほぼ等しい厚さのシートと、
前記第１の配線シート上及び前記シート上にわたって敷設された第２の配線シートと、
前記第２の配線シートのうち前記第１の配線シート上に敷設された部分に設けられた第１のプッシュスイッチと、
前記第２の配線シートのうち前記シート上に敷設された部分に設けられた第２のプッシュスイッチと、
を備えることを特徴とする配線シートの積層構造が提供される。
【発明の効果】
【００１０】
本発明によれば、配線シートが積層されたその上に複数のプッシュスイッチを設けても、クリック感やスイッチ検出に支障が生じることのない構造を提供することができる。
【発明を実施するための最良の形態】
【００１１】
以下に、本発明を実施するための好ましい形態について図面を用いて説明する。但し、以下に述べる実施形態には、本発明を実施するために技術的に好ましい種々の限定が付されているが、本発明の範囲を以下の実施形態及び図示例に限定するものではない。
【００１２】
図１は電子機器１の背面図であり、図２は電子機器１を分解して示した分解斜視図である。
【００１３】
電子機器１の筐体は前面ケース２と、背面ケース３とを有する。前面ケース２の背面側が凹んだ状態に設けられ、これにより前面ケース２が背面側で開口した箱状に設けられている。背面ケース３は前面ケース２の背面側にはり合わせられ、前面ケース２の背面側開口が背面ケース３によって塞がれ、背面ケース３と前面ケース２が例えばネジ、爪又は接着剤により接合され、これにより電子機器１の筐体が構成されている。
【００１４】
電子機器１の筐体には、支持部材であるシャーシ７が収容されている。シャーシ７に各種の電子部品、回路基板等が搭載された状態でこれらが筐体に収容されている。シャーシ７の背面側にはディスプレイパネル５が搭載され、ディスプレイパネル５の表示面がカバー６によって覆われている。背面ケース３には、表示画面用の開口４が形成され、ディスプレイパネル５の表示面が開口４に向いた状態でカバー６が開口４に嵌め込まれている。
【００１５】
シャーシ７の背面であって開口４から外れた部分、すなわち、ディスプレイパネル５が敷設されている箇所に併設して、第１の配線シートである配線シート８が敷設されている。配線シート８は、いわゆるＦＰＣ（Flexible Printed Circuit）であって、可撓性を有する。つまり、配線シート８は樹脂層を積層したものであり、それら層間に配線がパターニングされている。この配線シート８がディスプレイパネル５に接続され、ディスプレイパネル５に対する信号の送受のために配線シート８が用いられる。なお、配線シート８は粘着材によりシャーシ７に貼着された状態であってもよいし、配線シート８がシャーシ７に単に当接した状態であってもよい。
【００１６】
シャーシ７の背面であって開口４から外れた部分に、両面粘着シート１０，１１が敷設されている。両面粘着シート１０，１１がその粘着力によりシャーシ７に貼着されている。両面粘着シート１０，１１が配線シート８の周辺に配置され、配線シート８が両面粘着シート１０，１１に重なっていない。
【００１７】
図３は前面ケース２を取り外した状態の電子機器１を示した背面図であり、図４は図３に示されたIV−IVに沿った面の矢視断面図である。図４に示すように、シャーシ７の背面のうち、両面粘着シート１０，１１及び配線シート８が設けられている部分は平坦な面となっている。両面粘着シート１０，１１及び配線シート８の厚さがほぼ等しい。
【００１８】
配線シート８には、第２の配線シートであるスイッチ付配線シート１２が重ねられている。図３に示すように、スイッチ付配線シート１２の外形は配線シート８の外形と異なり、スイッチ付配線シート１２の一部が配線シート８からはみ出ている。スイッチ付配線シート１２のうち配線シート８からはみ出た部分が両面粘着シート１０，１１に重ねられている。こうして両面粘着シート１０，１１は、シャーシ７上において、スイッチ付配線シート１２と配線シート８とが重ならない領域に敷設されている。また、シャーシ７の背面の一部にディスプレイパネル５が設けられ、シャーシ７の背面の別の部分に配線シート８及び両面粘着シート１０，１１が敷設され、スイッチ付配線シート１２が配線シート８上と両面粘着シート１０，１１上にわたって敷設されているので、シャーシ７は少なくともディスプレイパネル５とスイッチ付配線シート１２とを併設する面積を有する。
【００１９】
両面粘着シート１０，１１及び配線シート８の厚さが等しいので、両面粘着シート１０，１１及び配線シート８が段差を有さず、ほぼ面一となっている。両面粘着シート１０，１１は、その粘着力により、シャーシ７に貼着されている面とは異なる面でスイッチ付配線シート１２に粘着されている。そのため、両面粘着シート１０，１１は、シャーシ７とスイッチ付配線シート１２の間に強固に挟持されることとなり、シャーシ７と配線シート８との段差を確実に無くすことができる。
【００２０】
スイッチ付配線シート１２は樹脂層を積層したものであり、それら層間に配線がパターニングされている。更に、スイッチ付配線シート１２には薄型のプッシュスイッチ１３〜２２が設けられている。プッシュスイッチ１３〜２２は自動復帰型のプッシュスイッチであり、具体的には例えばドームスイッチである。ドームスイッチとはスイッチ付配線シート１２にパターニングされた接点をドーム状の弾性膜で覆ったものであり、弾性膜が押されることで弾性膜と接点が接触し、その押しが解除されると、弾性膜がドーム状に復元してその弾性膜が接点から離れる。
【００２１】
プッシュスイッチ１３〜２２のうちプッシュスイッチ１３，１４が両面粘着シート１０上にあり、プッシュスイッチ１５，１８〜２２が配線シート８上にあり、プッシュスイッチ１６，１７が両面粘着シート１１上にある。なお、プッシュスイッチ１５，１８〜２２が第１のプッシュスイッチであり、プッシュスイッチ１３，１４，１６，１７が第２のプッシュスイッチである。
【００２２】
図２に示すように、スイッチ付配線シート１２にはキーシート３２が張られた状態で搭載されている。キーシート３２にはキートップ３３〜３９が設けられている。キートップ３３〜３８はプッシュスイッチ１３〜１８にそれぞれ対応し、キートップ３９がプッシュスイッチ１９〜２２の上に設けられている。
【００２３】
図１、図２に示すように、背面ケース３にはキー孔５３〜５８が形成され、キートップ３３〜３７がキー孔５３〜５７にそれぞれ挿入され、キートップ３８，３９がキー孔５８に挿入されている。
【００２４】
この電子機器１においては、ユーザが指でキートップ３３〜３９を押すと、キートップ３３〜３９に対応したプッシュスイッチ１３〜２２が押される。ユーザがキートップ３３〜３９から指を離すと、プッシュスイッチ１３〜２２が復帰し、キートップ３３〜３９も元に戻る。
【００２５】
スイッチ付配線シート１２が等しい厚さの配線シート８及び両面粘着シート１０，１１に重ねられているので、プッシュスイッチ１３〜２２を同程度の押し量でオン・オフすることができる。そのため、プッシュスイッチ１３〜２２の何れでもクリック感を均一にすることができる。
【００２６】
それゆえ、スイッチ付配線シート１２を配線シート８に直接重ねることができるので、配線シート８とスイッチ付配線シート１２の間に剛性の支持板金を介在させなくても済み、支持板金の分だけ電子機器１の薄型化を図ることができる。
【００２７】
なお、上記実施形態では、プッシュスイッチ１３〜２２がドームスイッチであるが、それに限るものではない。例えば、スイッチ付配線シート１２が、相対向した二枚のフィルムと、二枚のフィルムの間に挟持されるとともにプッシュスイッチ１３〜２２に対応する部分に開口が形成されたスペーサと、各開口内において一方のフィルムに形成された可動接点と、各開口内において他方のフィルムに形成された固定接点とを有するものであってもよい。こうすれば、各開口部分がプッシュスイッチ１３〜２２になる（例えば、特開平１０−１４５４７６号公報参照）。
【００２８】
また、上記実施形態では、電子機器１がデジタルカメラであったが、ノート型パーソナルコンピュータ、携帯電話機、腕時計、ＰＤＡ（Personal Digital Assistance）、電子手帳、携帯型無線機、その他の電子機器にも本発明を適用しても良い。
【図面の簡単な説明】
【００２９】
【図１】電子機器を示した背面図である。
【図２】電子機器を示した分解斜視図である。
【図３】背面ケースを外した状態の電子機器を示した背面図である。
【図４】図３のIV−IVに沿った面の矢視概略断面図である。
【符号の説明】
【００３０】
１  電子機器
７  シャーシ
８  配線シート
１０  両面粘着シート
１１  両面粘着シート
１２  スイッチ付配線シート
１３〜２２  スイッチ
【図１】
0004826576.tif 000002
【図２】
0004826576.tif 000003
【図３】
0004826576.tif 000004
【図４】
0004826576.tif 000005